(57)【要約】【課題】  コネクタに対するフレキシブル部材等の接続対象物の保持強度の増加が図られ、例えば、接続対象物を引っ張る等の不用意な力によっての接続対象物のコネクタからの離脱する恐れのない中継用のコネクタを提供すること。【解決手段】  コネクタ１０１は、コンタクト２１と、前記コンタクト２１を保持するハウジング２０と、接続対象物５０をコンタクト２１に向けて押圧する操作部材２０と、操作部材２０をロックするロック部材１０とを有する。操作部材２０は、接続対象物５０とコンタクト２１とが接続する位置と非接続位置との間で移動自在にハウジング２０に保持される。ロック部材１０は、操作部材２０の移動をロックする係止部を有し、ロック位置と非ロック位置との間で移動自在にハウジング２０に保持される。このコネクタ１０１は、接続対象物５０と接続する際、接続対象物５０を屈曲させて、前記係止部と操作部材３０との間で接続対象物５０を挟持する。【選択図】    図１
2006147365.tif 000002
【特許請求の範囲】
【請求項１】
可撓性を備えた接続対象物と接続するコネクタにおいて、前記コネクタは、コンタクトと、前記コンタクトを保持するハウジングと、前記接続対象物をコンタクトに向けて押圧する操作部材と、前記操作部材をロックするロック部材とを有し、
前記操作部材は、前記接続対象物と前記コンタクトとが接続する位置と非接続位置との間で移動自在に前記ハウジングに保持され、前記ロック部材は、前記操作部材の移動をロックする係止部を有し、ロック位置と非ロック位置との間で移動自在に前記ハウジングに保持され、
前記接続対象物と接続する際、前記接続対象物を屈曲させて、前記係止部と前記操作部材との間で前記接続対象物を挟持することを特徴とするコネクタ。
【請求項２】
請求項１に記載のコネクタにおいて、前記接続対象物の嵌合方向と交差する方向に、前記接続対象物を屈曲させたことを特徴とするコネクタ。
【請求項３】
請求項１又は２に記載のコネクタにおいて、前記ロック部材は、当該ロック部材とは別の操作部を有していることを特徴とするコネクタ。
【請求項４】
請求項１乃至３の内のいずれか一つに記載のコネクタにおいて、前記ロック部材は、回転可能に前記ハウジング又は操作部材に保持されていることを特徴とするコネクタ。
【請求項５】
請求項１乃至３の内のいずれか一つに記載のコネクタにおいて、前記ロック部材は、前記ハウジング又は前記操作部材に対して摺動移動可能に保持されていることを特徴とするコネクタ。
【発明の詳細な説明】
【技術分野】
【０００１】
本発明は電子機器間もしくは、基板間を接続する中継用のコネクタに関する。
【背景技術】
【０００２】
従来、この種のコネクタとして、図９に示すものがある。図９を参照すると、中継コネクタ１１０は、電子機器の基板に搭載されるハウジング２０と、フレキシブルプリント配線基板（ＦＰＣ）又はフレキシブルフラットケーブル（ＦＦＣ）（以下、ＦＰＣ及びＦＦＣをまとめてフレキシブル部材と呼ぶ）からなる接続対象物５０を挿入した際に、この接続対象物５０を固定するために、ハウジング２０内に挿入されるスライダ３０とを備えている。ハウジング２０内にコンタクト２１が圧入されている。コンタクト２１は、ハウジング２０内に圧入され、このコンタクト２１を支持する支持部２１ｃと、支持部２１ｃから嵌合部２３に分岐して上下に設けられた第１の接触部２１ａ及び第２の接触部２１ｂと、支持部２１ｃから後側に伸びて、図示しない基板に接続される端子部２１ｄとを備えている。スライダ３０は、接続対象物５０を、ハウジング２０の嵌合部２３内に挿入の際に、接続対象物５０を第１の接触部２１ａのバネ力によって、下方に付勢され、接続対象物５０を第２の接触部２１ｂに圧接することで、接続対象物５０と、コネクタ１１０が設けられた基板とが電気接続される構成である。
【０００３】
しかしながら、接続対象物５０の保持は、コンタクト２１の接触力よりもスライダ３０もしくはハウジング２０で挟み込んでいたため、保持力が小さく、接続対象物５０に負荷がかかると、接続対象物５０が中継コネクタ１１０から離脱しやすかった。
【発明の開示】
【発明が解決しようとする課題】
【０００４】
そこで、本発明の技術的課題は、コネクタに対するフレキシブル部材等の接続対象物の保持強度の増加が図られ、例えば、接続対象物を引っ張る等の不用意な力によっての接続対象物のコネクタからの離脱する恐れのない中継用のコネクタを提供することにある。
【課題を解決するための手段】
【０００５】
本発明によれば、可撓性を備えた接続対象物と接続するコネクタにおいて、前記コネクタは、コンタクトと、前記コンタクトを保持するハウジングと、接続対象物をコンタクトに向けて押圧する操作部材と、前記操作部材をロックするロック部材とを有し、前記操作部材は、前記接続対象物とコンタクトとが接続する位置と非接続位置との間で移動自在にハウジングに保持され、前記ロック部材は、前記操作部材の移動をロックする係止部を有し、ロック位置と非ロック位置との間で移動自在に前記ハウジングに保持され、前記接続対象物と接続する際、前記接続対象物を屈曲させて、前記係止部と前記操作部材との間で前記接続対象物を挟持することを特徴とするコネクタが得られる。ここで、本発明において、接続対象物は、フレキシブル部材、例えば、ＦＰＣ、ＦＦＣ等からなることが好ましい。
【０００６】
また、本発明によれば、前記コネクタにおいて、前記接続対象物の嵌合方向と交差する方向に、前記接続対象物を屈曲させたことを特徴とするコネクタが得られる。
【０００７】
また、本発明によれば、前記ロック部材は操作部を有することを特徴とするコネクタが得られる。ここで、本発明において、操作部材として操作テープであることが好ましいい。
【０００８】
また、本発明によれば、前記いずれか一つのコネクタにおいて、前記ロック部材は、回転可能に前記ハウジング又は操作部材に保持されていることを特徴とするコネクタが得られる。
【０００９】
さらに、本発明によれば、前記いずれか一つのコネクタにおいて、前記ロック部材は、前記ハウジング又は前記操作部材に対して摺動移動可能に保持されていることを特徴とするコネクタが得られる。
【発明の効果】
【００１０】
本発明においては、接続対象物がロック部材とスライダにより屈曲することにより、接続対象物のコネクタに対する保持力を大きくできる。
【発明を実施するための最良の形態】
【００１１】
図１（ａ）は本発明の第１の実施の形態による中継コネクタの接続対象物ロック状態を示す断面図、図１（ｂ）図１（ａ）の中継コネクタの斜視図、図２は図１（ａ）、及び（ｂ）に示す中継コネクタの分解組立斜視図、図３（ａ）は図１（ａ）及び（ｂ）に示す中継コネクタのスライダ挿入状態でロック部材の未固定状態を示す断面図、図３（ｂ）は図３（ａ）の中継コネクタの斜視図、図４（ａ）は、図１（ａ）及び（ｂ）に示す中継コネクタのスライダ末挿入で接続対象物仮挿入状態を示す断面図、図４（ｂ）は図４（ａ）の中継コネクタのスライダ未挿入状態を示す斜視図である。図５は図１（ａ）の中継コネクタのロック部材の説明に供せられる一部省略側面図である。図６は図５の中継コネクタの部分拡大図である。
【００１２】
図１（ａ）及び（ｂ）及び図２、図３（ａ）及び（ｂ）、及び図４（ａ）及び（ｂ）を参照すると、本発明の第１の実施の形態による中継コネクタ１０１は、複数のコンタクト２１と、夫々のコンタクト２１を保持するハウジング２０と、ハウジング２０内に挿入され、フレキシブル部材からなる接続対象物５０をハウジング２０内に設けられたコンタクト２１に向けて押圧する操作部材としてのスライダ３０と、スライダ３０をハウジング２０に固定するロック部材１０とを備えている。
【００１３】
ハウジング２０は、細長い断面四角の角筒状で、一端には、開口を備えた第１の嵌合部２３と、他端には、他の中継コネクタに接続される第２の嵌合部２２とを備えている。
【００１４】
第１の嵌合部２３の一辺部には、コンタクト２１を収容するためのコンタクト収容溝２４が嵌合方向と交差する方向に並んで設けられている。ハウジング２０の両側には、中央に係合孔１２ａを備えた４角のバネ性を備えたロック片１２が下部を支持部、上部を自由端として夫々設けられている。また、その基部側には、第１係合面１４と第２係合面１５とが夫々設けられ、合わせてロック部１１を構成している。
【００１５】
コンタクト２１は、ハウシングに内包され長手方向に複数並んで配置される。図１（ａ）に示すように、第一の接続部２６と第二の接続部２７には、夫々接触子があり、第二の接続部２７の接触子はバネ性を有する。
【００１６】
接続対象物５０を接続させるための操作部材としてのスライダ３０は、ハウジング２０に対して移動可能で、図１（ｂ）と図３（ｂ）の２つの状態で係止される。
【００１７】
接続対象物５０はその先端部５１が厚くなっており、コンタクト２１と接触する導体が露出した形状を有する。
【００１８】
スライダ３０は接続対象物５０が挿入される接続対象物挿入口３１を備えた上面部３２と、上面部から下方に延びる押さえ片３３と、その両側に設けられた係合部３５とを備えている。
【００１９】
ロック部材１０は、係止部としてのロックバー５と、操作部材としての操作テープ６とを備えている。ロックバー５は、ロッド３とその両側から屈曲して、ロッド３に交差する方向で、夫々同じ方向に延在するアーム部２と、アーム部２先端に、互いに対向して内側に向かって突出する回動軸１とを備えている。
【００２０】
操作テープ６は、ロック部材１０のロックバー５に巻き付けられて固定され、ロック部材１０の回転方向への操作を容易にする。また、第二の接続部２７と接続した接続対象物５０が離脱する際に操作テープ６を離脱方向へ引っ張ることにより第二の接続部２７からの離脱を容易にする。
【００２１】
次に、本発明の第１の実施の形態による中継コネクタのロック及びロック解除動作について説明する。
【００２２】
図１（ａ）及び（ｂ）を参照すると、中継コネクタ１０１のロック状態において、ロック部材１０のロックバー５は、スライダ３０の上面３４に当接し、このロックバー５のロッド３を係止部としてスライダ３０の移動を係止している。また、スライダ３０の側部に、係合部３５が、ロック片１２の係合孔１２ａに係合している。また、接続対象物５０は、嵌合孔２３内に挿入され、スライダ３０の押さえ片３３によって、コンタクト２１に圧接されている。また、接続対象物５０は、スライダ３０の接続対象物５０の挿入口から、屈曲して、スライダ３０の上面部分に引き出されている。そして、接続対象物５０の引き出された上面部分は、ロック部材１０のロックバー５によって押さえられて、このスライダ３０の上面とロックバー５とによって挟み込まれている状態となっている。したがって、この状態においては、接続対象物５０を引っ張っても中継コネクタ１０１から抜けることはない。この状態のロック部材１０の位置を第１の位置と呼ぶ。
【００２３】
次に、図５に示す状態から、図６の破線で示すように、図３（ａ）及び（ｂ）となるように、操作テープ６を、下方に引っ張ると、ロック部材１０が、回動軸１を中心に回転して、図６に示すように、係止部であるロックバー５がスライダ３０の角部を乗り越え、図３（ａ）に示すように、第二の位置４２となる。その際に、操作者にクリック感を与える。一方、ロック部材１０の回動軸１付近では、図５に示すように、ロック部材１０のアーム部２は、第１係合面１４に当接している状態から、図３（ａ）及び（ｂ）に示すように、第２係合面１５に当接した状態となる。その際に、ハウジング２０のロック片１２がアーム２による外方への移動を阻止されていた状態から開放され、外方に移動可能になり、図４（ａ）及び（ｂ）に示すように、上方にスライダ３０を引っ張ると、側面の係合がはずれ、スライダ３０は接続対象部材とともに、容易に引き抜くことができる。
【００２４】
一方、接続の際には、接続対象物５０は、図４（ａ）に示すように、ハウジング２０とロック部材１０の間を通り第二の接続部２７へ挿入される。次に図３（ａ）に示すようにスライダ３０が挿入され、接続対象物５０の先端部５１とコンタクト２１とは接触する。次にロック部材１０を第二の位置４２より第１の位置４１へ回転させ、段部３６をストッパー部としてロック部材１０の位置が決まる。この位置は接続対象物５０の中継コネクタ内包部分の延長上よりオフセットされた状態に位置し、接続対象物５０を、図１（ａ）に示すように、Ｓ字状に屈曲させることによりケーブル等の接続対象物を中継コネクタ１０１に強固に固定することが出来る。
【００２５】
なお、ロック部材１０を移動させるのに、操作テープ６を持って引っ張る、あるいは、接続対象物５０を持って引っ張ってもロック部材１０を第一の位置４１に移動させることができる。
【００２６】
次に、本発明の他の実施の形態について図面を参照しながら説明する。
【００２７】
図７は本発明の第２の実施の形態による中継コネクタのロック部材を主に示す斜視図である。図７を参照すると、中継コネクタ１０２において、ロック部材１０のロッド３の両側寄りに、Ｕ字型で且つＬ字形状に屈曲した係合部７が長さ方向の２箇所に設けられている。したがって、ロック部材１０のロッド３及び係合部７の基部がスライダ３０の上面３２と側面３７及び係合部７の先端がハウジング２０の側面２８とに夫々当接することによって、スライダ３０をロックしている。なお、挿入対象物５０は、挿入口３１から引き出されて、スライダ３０の上面を通り、係合部７に挟み込まれて、縁面３７、及び側面２８に沿って、延在する形態を取る。
【００２８】
一方、ロック解除は、先の実施の形態と同様に、ロックバー５のロッド３を下方に回動させればよい。その際にロッド３がスライダ３０の角部を通過するときに、操作者にクリック感を与える。
【００２９】
図８は本発明の第３の実施の形態による中継コネクタの部分拡大図である。図８を参照すると、中継コネクタ１０３においては、ハウジング２０に段部４７が形成され、この段部４７の両側に一対の係合穴４５，４６が、夫々並んで設けられている。一方、このハウジング２０の段部４７に隣接してスライダ３０が収容されている。ロック部材１０はその先端が内側に向かって突出した係合部８を備えている点で、第１及び第２の実施の形態とは異なっている。ロック部材１０の係合部８が、穴４５と係合しているときには、スライダ３０の引き抜きは、このロックバー５に邪魔されて不可能であるが、ロック部材を矢印４８で示す水平方向の手前にスライドさせると、係合部８が穴４８と係合し、ロックバー５は、スライダ３０の引き抜きを邪魔しない位置となり、スライダ３０を引き抜くことが可能となる。そして、接続対象物５０はロッド３の下面に設けられた隙間３ａから引き出される。なお、このロック部材１０の係合部が孔４５，４６の一方から他方に移動する際にクリック感が得られるとともに、係合穴４６に挿入される位置で、ロック部材１０を引き抜くことも可能である。
【００３０】
以上説明したように、本発明の第１乃至第３の実施の形態においては、接続対象物５０がロック部材１０とスライダ３０により屈曲することにより、接続対象物５０の中継コネクタ１０１，１０２，１０３に対する保持力を大きくできる。
【産業上の利用可能性】
【００３１】
以上説明したように、本発明に係る中継コネクタは、電子部品、電子機器の基板間の中継用に適用される。
【図面の簡単な説明】
【００３２】
【図１】（ａ）は本発明の第１の実施の形態による中継コネクタの接続対象物ロック状態を示す断面図、（ｂ）は（ａ）の中継コネクタの斜視図である。
【図２】図１（ａ）、及び（ｂ）に示す中継コネクタの分解組立斜視図である。
【図３】（ａ）は図１（ａ）及び（ｂ）に示す中継コネクタのスライダ挿入状態でロック部材の未固定状態を示す断面図、（ｂ）は（ａ）の中継コネクタの斜視図である。
【図４】（ａ）は、図１（ａ）及び（ｂ）に示す中継コネクタのスライダ末挿入で接続対象物仮挿入状態を示す断面図、（ｂ）は（ａ）の中継コネクタのスライダ未挿入状態を示す斜視図である。
【図５】図１（ａ）の中継コネクタのロック部材の説明に供せられる一部省略側面図である。
【図６】図５の中継コネクタの部分拡大図である。
【図７】本発明の第２の実施の形態による中継コネクタのロック部材を主に示す斜視図である。
【図８】本発明の第３の実施の形態による中継コネクタの部分拡大図である。
【図９】従来技術による中継コネクタの一例を示す断面図である。
【符号の説明】
【００３３】
１    回動軸
２    アーム部
３    ロッド
５    ロックバー
６    操作テープ
７    係合部
８    係合部
１０    ロック部材
１１    ロック部
１２    ロック片
１２ａ    係合孔
１４    第１係合面
１５    第２係合面
２０    ハウジング２０
２１    コンタクト
２１ａ    第１の接触部
２１ｂ    第２の接触部
２１ｃ    支持部
２１ｄ    端子部
２２    第２の嵌合部（収容部）
２３    第１の嵌合部
２４    コンタクト収容溝
２６    第一の接続部
２７    第二の接続部
２８    側面
３０    スライダ
３１    接続対象物挿入口
３２    上面部
３３    押さえ片
３４    上面
３５    係合部
３６    段部
３７    側面
４５，４６    係合穴
４７    段部
５０    接続対象物
５１    先端部
１０１，１０２，１０３，１１０    中継コネクタ
【図１】
2006147365.tif 000003
【図２】
2006147365.tif 000004
【図３】
2006147365.tif 000005
【図４】
2006147365.tif 000006
【図５】
2006147365.tif 000007
【図６】
2006147365.tif 000008
【図７】
2006147365.tif 000009
【図８】
2006147365.tif 000010
【図９】
2006147365.tif 000011